(57)【特許請求の範囲】
【請求項１】
側部材と中間部材との２種類の部材の組合せからなる台座プレートと、該台座プレートの表面に重合させる化粧プレートとの組合せからなり、
上記側部材と中間部材とには側端部同士を突き合せることにより互いを連結する連結手段を設けるとともに、上下端部には上記化粧プレートを装着する装着手段を設けた配線器具用プレートであって、
上記中間部材の連結手段を、側端面から側方に膨出した係合板の先端近傍に係止凸部を設けた第１の連結部と、背面に形成された係合枠の内側に係止凹部を設けた第２の連結部とで構成し、
上記側部材の連結手段を、背面に形成された係合枠の内側に係止凹部を設けた第３の連結部と、側端面から側方に膨出した係合板の先端近傍に係止凸部を設けた第４の連結部とで構成し、
上記装着手段を、上記側部材と中間部材との上下端部に形成した係止爪と、位置決め孔とで構成し、
上記化粧プレートは上下両端部をコ字状に折り曲げて折曲部を形成するとともに、折曲部の先端部には後方に突出して複数の位置決め片を形成し、
上記中間部材同士は上記第1の連結部の係合板を第２の連結部の係合枠に係合させるとともに係止凸部を係止凹部に係止させて連結させ、上記側部材と単独または複数連結した中間部材とは上記第1の連結部の係合板を第３の連結部の係合枠に係合させるとともに係止凸部を係止凹部に係止させ、第４の連結部の係合板を第２の連結部の係合枠に係合させるとともに係止凸部を係止凹部に係止させてなる台座プレートの表面に、上記化粧プレートの位置決め片が上記位置決め孔に挿通するように重合させることにより、上記係止爪が上記折曲部の端部を係止して、台座プレートに化粧プレートを装着させてなることを特徴とする配線器具用プレート。」
【発明の詳細な説明】
【０００１】
【発明の属する技術分野】
本発明は、壁面に取付枠を介してスイッチやコンセント等の配線器具を取り付ける際に、取付枠の前面を覆うための配線器具用プレートに関する。
【０００２】
【従来の技術】
従来、図１３（ａ）に示すように、埋込ボックスをサン木などの支持体４０に木ネジ４１で埋込ボックス４２を固定した後、石膏ボードやベニヤ板などの壁下地材を張り付け、適宜手段で壁下地材を切り欠いて埋込ボックス４２を露出させ、配線器具４３を取り付けた取付枠４４を取付けネジ４５で埋込ボックスに固定した後、配線器具用プレート４６を配線器具４３の周囲を覆うように取付枠４４に取り付ければ、図１３（ｂ）に示すように、壁面の配線器具４３以外の部分を配線器具用プレート４６で覆うことができるようになっている。
【０００３】
【発明が解決しようとする課題】
しかしながら、従来の配線器具用プレートでは、配線器具が複数並設されるような場合は、図１３（ｃ）に示すように、配線器具の数に対応して配線器具用プレートの形状が異なる為、配線器具の数に対応したプレートを予め準備しておかなければならなかった。このことは、メーカーの製造設備投資額を増大させるものであり、さらには在庫部品の種類が増え、大量の部品在庫を抱え込まなければならないという問題があった。したがって上記の問題はユーザーにも価格的に負担となっていた。
【０００４】
本発明は上記問題点を解消し、配線器具の数に応じて自由に対応することができ、在庫管理等を容易にするとともに、製造コストの低減化を図ることができ、しかもユーザーの多様なニーズにこたえることができる配線器具用プレートを提供することをその課題とする。
【０００５】
【課題を解決するための手段】
前記課題を解決するため、本発明に係る配線器具用プレートは、側部材と中間部材との２種類の部材の組合せからなる台座プレートと、該台座プレートの表面に重合させる化粧プレートとの組合せからなり、
上記側部材と中間部材とには側端部同士を突き合せることにより互いを連結する連結手段を設けるとともに、上下端部には上記化粧プレートを装着する装着手段を設けた配線器具用プレートであって、
上記中間部材の連結手段を、側端面から側方に膨出した係合板の先端近傍に係止凸部を設けた第１の連結部と、背面に形成された係合枠の内側に係止凹部を設けた第２の連結部とで構成し、
上記側部材の連結手段を、背面に形成された係合枠の内側に係止凹部を設けた第３の連結部と、側端面から側方に膨出した係合板の先端近傍に係止凸部を設けた第４の連結部とで構成し、
上記装着手段を、上記側部材と中間部材との上下端部に形成した係止爪と、位置決め孔とで構成し、
上記化粧プレートは上下両端部をコ字状に折り曲げて折曲部を形成するとともに、折曲部の先端部には後方に突出して複数の位置決め片を形成し、
上記中間部材同士は上記第1の連結部の係合板を第２の連結部の係合枠に係合させるとともに係止凸部を係止凹部に係止させて連結させ、上記側部材と単独または複数連結した中間部材とは上記第1の連結部の係合板を第３の連結部の係合枠に係合させるとともに係止凸部を係止凹部に係止させ、第４の連結部の係合板を第２の連結部の係合枠に係合させるとともに係止凸部を係止凹部に係止させてなる台座プレートの表面に、上記化粧プレートの位置決め片が上記位置決め孔に挿通するように重合させることにより、上記係止爪が上記折曲部の端部を係止して、台座プレートに化粧プレートを装着させてなることを特徴とする配線器具用プレート。
【０００６】
【発明の実施の形態】
図１は、本発明に係る、１連の配線器具用プレートの正面側斜視図を示し、この配線器具用プレートは、１つの中間部材１と２つの側部材２、２との２種類の部材を組み合わせることにより形成される台座プレートＡと、この台座プレートＡの表面を覆う化粧プレートＢとからなり、中間部材１の一方の端面に側部材２の端面を、中間部材１の他方の端面に側部材２の端面をそれぞれ突き合せて後述する連結手段７、２２により連結することにより全体として板状の台座プレートＡが形成できるようになっており、図２に示すように、台座プレートＡの表面側から化粧プレートＢを重合させることにより台座プレートＡに設けられた装着手段で化粧プレートＢを装着することができるようになっているものである。
【０００７】
図３（ａ）（ｂ）は中間部材1の正面図及び背面図を示し、中間部材１は長手方向両端部の背面側に側壁８が膨出して形成された側面視略コ字状の樹脂製の板部材で、中央に配線器具の前面を露出させるための開口部３が形成され、背面には配線器具の取付枠に係止させるための係止片４が突出して形成されている。
【０００８】
中間部材１の一方の側端部（図３（ａ）上で左側）には第１の連結部５と第２の連結部６とからなる連結手段７が設けられ、第１の連結部５の反対側端部（図３（ａ）上で右側）には第２の連結部６が形成され、第２の連結部６の反対側端部には第１の連結部５が形成されて中間部材１の他方の側端部にも連結手段７が設けられている。
【０００９】
上記第１の連結部５は、図４（ａ）（ｂ）に示すように、側端面から側方に膨出した平面視略台形状の係合板１０と、この係合板１０の中央先端近傍に形成された係止凸部１１とで構成され、上記係合板１０は上面１０ａが中間部材１の背面１ａと面一になるように形成されている（図５（ａ）参照）。そして、第２の連結部６は、中間部材１の背面１ａに上記係合板１０及び後述する側部材２の係合板２５の輪郭と同一形状に形成された係合枠１２と、係合枠１２の内側に形成された係止凹部１３とで構成されている。
【００１０】
そして、上記側壁８の端部には起立縁９が形成され、側壁８には係止爪１４、起立縁９には位置決め孔１５がそれぞれ形成され、係止爪１４と位置決め孔１５とで装着手段１６を構成している。
【００１１】
図６（ａ）（ｂ）は側部材２の正面図及び背面図を示し、上記中間部材１に突き合せる端部には第３の連結部２０と第４の連結部２１とからなる連結手段２２が設けられている。
【００１２】
第３の連結部２０は、図７（ａ）（ｂ）に示すように、側部材２の背面２ａに上記係合板１０の輪郭と同一形状に形成された係合枠２３と、係合枠２３の内側に形成された係止凹部２４とで構成され、第４の連結部２１は、側端部から側方に膨出した平面視略台形状の係合板２５と、この係合板２５の中央先端近傍に形成された係止凸部２６とで構成され、上記係合板２５は上面２５ａが側部材２の背面２ａと面一になるように形成されている。
【００１３】
そして、連結手段２２が形成されていない周縁は背面側に曲折して側壁２７が形成され、長手方向両端部の側壁２７には起立縁２８が形成され、側壁２７には係止爪２９、起立縁２８には位置決め孔３０が形成され、係止爪２９と位置決め孔３０とで装着手段３１を構成している。
【００１４】
なお、中間部材１の第１の連結部５と側部材２の第４の連結部２１、中間部材１の第２の連結部６と側部材２の第３の連結部２０とは同一形状に形成されているので、中間部材１と側部材２とを、又は中間部材１同士を連結接続することができる。
【００１５】
図８（ａ）（ｂ）は化粧プレートＢの正面側斜視図、背面側斜視図を示し、この化粧プレートＢは中央に配線器具を露出させる開口部３５が形成された金属の板部材で上下両端部を略コ字状に折り曲げて台座プレートＡを上下から挟むように係合する折曲部３６を形成し、折曲部３６の端部３６ａには位置決め片３７が後方に突出して形成され、両端の位置決め片３７は側部材２に形成された位置決め孔３０に挿通し、中央の位置決め片３７は中間部材２に形成された位置決め孔１５に挿通できるように形成されている。
【００１６】
上記構成の配線器具用プレートを組み立てる際は、中間部材１の一方の端面に側部材２の端面を突き合せることにより側部材２の係合板２５が中間部材１の背面１ａ側に入り込み係合枠１２にガイドされ、係止凸部２６が係止凹部１３に係止されるとともに、中間部材１の係合板１０が側部材２の背面２ａ側に入り込み係合枠２３にガイドされ、係止凸部１１が係止凹部２４に係止され、中間部材１の一方の側端部に側部材２を連結することができる。
【００１７】
同様に、中間部材１の他の端面に側部材２の端面を突き合せることにより側部材２の係合板２５が中間部材１の背面１ａ側に入り込み係合枠１２にガイドされ、係止凸部２６が係止凹部１３に係止されるとともに、中間部材１の係合板１０が側部材２の背面２ａ側に入り込み係合枠２３にガイドされ、係止凸部１１が係止凹部２４に係止され（図５（ｂ）参照）、中間部材１の他の端面に側部材２を連結することができ、図２に示すように、配線器具の前面を露出させる開口部３が設けられた台座プレートＡを形成することができる。
【００１８】
次に、図９に示すように、化粧プレートＢを台座プレートＡの表側面から位置決め片３７が位置決め孔１５、３０に挿通するように重合させると（図１０（ａ）参照）、折曲部３６の端部３６ａが台座プレートＡに形成された係止爪１４、２９に係止され台座プレートＡ上に化粧プレートＢを固定することができる（図１０（ｂ）参照）。
【００１９】
上述のように、中間部材１と側部材２の端面同士を突き合せることにより簡単に中間部材１と側部材２とを連結して台座プレートＡを形成することができ（図２及び図１１（ａ）参照）、中間部材１と側部材２から形成された台座プレートＡの表面側に化粧プレートＢを重合することにより装着手段１６、３１によって化粧プレートＢが台座プレートＡに装着・固定され、配線器具用プレートを形成することができる（図１１（ｂ）参照）。
【００２０】
このようにして形成された配線器具用プレートは、中間部材１と側部材２との接合部分が化粧プレートＢで覆われ、繋ぎ目が隠されて見栄えが良くなるとともに、第１の連結部５と第３の連結部２０とが結合し、第２の連結部６と第４の連結部２１とが結合しているので、外力が加えられても歪みにくく一体成形された配線器具用プレートと同じように使用することができる。
【００２１】
なお、中間部材１に形成された第１の連結部５と、側部材２に形成された第４の連結部２１の形状とは同一形状であるとともに、中間部材１に形成された第２の連結部６と、側部材２に形成された第３の連結部２０の形状とは同一形状であるため、中間部材１同士を横方向に連続して連結することができるので（図１２（ａ）参照）、複数の中間部材１を連接することにより、配線器具の数に対応した台座プレートを自由に形成することができる（図１２（ｂ）参照）。化粧プレートＢはそれぞれの台座プレートの大きさに見合ったサイズの化粧プレートが必要となり、それらを重合することにより多様な数量の配線器具の取付に対応できる。
【００２２】
しかも、化粧プレートＢを塗装することにより、様々な色や模様を施すことができるので、台座プレートＡが無味乾燥な色であっても、壁材の色や壁紙の模様に対応して化粧プレートＢを選択することにより消費者の多様なニーズにこたえることができる配線器具用プレートを実現することができる。
【００２３】
なお、図１１（ａ）（ｂ）に示すように中間部材が１個の台座プレートと、この台座プレートの大きさに見合ったサイズの化粧プレートから構成される配線器具用プレートを１連の配線器具プレートと呼び、図１２（ａ）（ｂ）に示すように中間部材を２個連接接続した台座プレートと、この台座プレートの大きさに見合ったサイズの化粧プレートから構成される配線器具用プレートを２連の配線器具プレートと呼ぶ。
【００２４】
【発明の効果】
本発明によれば、側部材と中間部材とには互いを連結する連結手段が設けられているので、端面同士を突き合せることにより配線器具の数に応じて台座プレートを自由に構成することができる。しかも、台座プレートには装着手段を設けたので台座プレートの表面に上記化粧プレートを装着手段で装着することができるので、化粧プレートを選択することにより様々なバリエーションを構築することができ、ユーザーの多様なニーズに対応することができ、メーカーにとっての在庫管理や生産管理をらくにする。
【００２５】
ここで、１連から５連の台座プレートを考察してみると、１連から５連の台座プレートを一体的に製造する場合には５種類の成形金型が必要になるが、本発明によれば側部材と中間部材との２種類の金型で製造することができる。
【００２６】
また、化粧プレートを金属製で製作するためにはプレス金型を作成する必要があるが、プレス金型の場合には金型構造を工夫することで、１連から５連のうち最大寸法である５連用の抜工程型を１台と、曲工程数分の曲型それぞれ１台を作成し、１連から５連の５種類の化粧プレートが金型を兼用して製造できるので、製造コストの低減化を図る配線器具用プレートを提供できる。
【００２７】
なお、化粧プレートに形成された位置決め片を台座プレートに形成された位置決め孔に挿通するように化粧プレートを台座プレートに重合させることにより、台座プレートに形成された係止爪が化粧プレートの折曲部を係止して、化粧プレートが台座プレートに容易に装着することができ、組み付ける作業のみでネジなどの固定手段を用いることなく配線器具用プレートを形成することができる。
【図面の簡単な説明】
【図１】  本発明に係る配線器具用プレートの斜視図
【図２】  台座プレートに化粧プレートを装着する状態を説明する斜視図
【図３】  （ａ）（ｂ）は中間部材の正面図及び背面図
【図４】  （ａ）（ｂ）は中間部材の正面側斜視図及び背面側斜視図
【図５】  （ａ）（ｂ）は中間部材と側部材との要部端面図
【図６】  （ａ）（ｂ）は側部材の正面図及び背面図
【図７】  （ａ）（ｂ）は側材の正面側斜視図及び背面側斜視図
【図８】  （ａ）（ｂ）は化粧プレートの正面側斜視図及び背面側斜視図
【図９】  台座プレートに化粧プレートを装着する状態を説明する一部切断した台座プレートと化粧プレートとの斜視図
【図１０】  （ａ）（ｂ）は配線器具用プレートの位置決め孔の部分の縦断面図及び係止爪の部分の縦断面図
【図１１】  （ａ）（ｂ）は配線器具用プレートの正面側斜視図及び背面側斜視図
【図１２】  （ａ）（ｂ）は配線器具用プレートの他の例を示す正面側斜視図及び背面側斜視図
【図１３】  （ａ）（ｂ）（ｃ）は従来の配線器具用プレートの取付け態様の説明図、取付け後の説明図及び他の例の配線器具用プレート
【符号の説明】
１  中間部材
２  側部材
７、２２  連結手段
１６、３１  装着手段
Ａ  台座プレート
Ｂ  化粧プレート
【図１】
0004522601.tif 000002
【図２】
0004522601.tif 000003
【図３】
0004522601.tif 000004
【図４】
0004522601.tif 000005
【図５】
0004522601.tif 000006
【図６】
0004522601.tif 000007
【図７】
0004522601.tif 000008
【図８】
0004522601.tif 000009
【図９】
0004522601.tif 000010
【図１０】
0004522601.tif 000011
【図１１】
0004522601.tif 000012
【図１２】
0004522601.tif 000013
【図１３】
0004522601.tif 000014